Podtech/llm-jp-corpus-v4-ja_patent huggingface dataset:
(57)【要約】【課題】床及び畳面の塵埃を簡単な構造の吸着シートで吸着除去できる経済的なものを提供する。【解決手段】アクリル毛糸で編み略長方形に形成した塵埃吸着シート１に、モップ基台２の吸着シート係止穴３に係止する係止片４を複数個設け、係止片４の外側にまるみを設けた塵埃吸着シート。【選択図】                          図２
2004344477.tif 000002
【特許請求の範囲】
【請求項１】
アクリル毛糸で編み略長方形に形成した塵埃吸着シート１に、モップ基台２の塵埃吸着シート係止穴３に係止する係止片４を複数個設け、係止片４の外側にふくらみ５を形成したことを特徴とする塵埃吸着モップ用シ−ト。
【発明の詳細な説明】
【０００１】
【発明が属する技術分野】
本発明は、屋内の床、畳等の表面の清掃用のモップ用塵埃吸着シ−トに関するものである。
【０００２】
【従来の技術】
従来、この種のモップ用吸着シートはシートにオイル含浸不織布が知られているが、これらのモップでは清掃面に油膜が付くという問題があった。一方、人の移動等の微風により床面や畳面から舞い上がった塵埃、特に綿埃はそのまま除去されず掃除したはずの床に綿埃等の塵埃が残ることも頻繁に見受けられた。その度毎に携帯用掃除機により吸着するという手間がかかっていた。
先願には静電シート（特開平９−２９９３０８）が開示されているが、これは複雑な構造であり、コストも高く一般には提供しがたいものである。
以下、図１、図２により従来の特許文献について説明する。
【特許文献１】特開平９−２９９３０８号公報
【０００３】
【発明が解決しようとする課題】
従来のオイル含浸布織布のモップ用吸着シートは、それなりの清掃することはできるが、床面やベッドの下の塵埃が綿埃となっている場合には除去されず、部屋のコーナーにただよって残っていることが多く主婦にとってはしゃくの種であるという問題点があった。そこでアクリル毛糸を略長方形のモップ用吸着シートを形成し、モップ基台に取り付けて清掃時、塵埃を一網打尽に除去しようとするものである。また、本発明品は誰でも簡単に手洗いが可能で、乾燥も早く繰り返し使用することができる。従って製品コストも安く経済的に利用できる塵埃吸着シートを提供するものである。
【０００４】
【課題を解決するための手段】
本発明者はアクリル毛糸で編み長方形の塵埃吸着シートを形成し、モップ基台に取り付けて、床やベッドの下をスライドさせたところ、毛糸と床面との摩擦で静電気が起こり、髪の毛等の付着は勿論、綿埃等も簡単にこの塵埃吸着シートに吸着し除去することができた。又、本発明のアクリル１００％毛糸で編み略長方形に形成した塵埃吸着シートを複数個作ってモップ基台に取り付ける方式で、モニターに使用してもらったところ、塵埃の綿埃は勿論のこと、髪の毛まできれいに取れて極めて良好な結果が得られた。更に本発明の吸着シートが乾燥状態でモップ基台に装着し、塵埃を吸着させた後、吸着シートを取り外し水洗いで吸着塵埃を除去し、未乾燥のままモップ基台に取り付けて床の拭き掃除すれば、極めて楽にしかもきれいに拭き掃除ができることを確認した。モップ用吸着シートのシート係止片の外側にふくらみを形成したことによりモップ基台に押し込んで取り付けたとき吸着シートの外観が異常変形せず見栄えが良い。
【０００５】
【発明の実施の形態】
本発明を、図１、図２に基づいて説明する。
アクリル毛糸で編み略長方形に形成した塵埃吸着シート１に、モップ基台２の塵埃吸着シート係止穴３に係止する係止片４を複数個設け、係止片４の外側にふくらみ５を形成し、モップ基台２に取り付ける場合、塵埃吸着シート１の係止片４を係止穴３に押し込んで固定する。
なお、塵埃吸着シート１の色は赤、青、黄、白、緑、ピンク等多種類を用意しておけば、掃除当日の気分に合った色を自由に選択できるので、掃除を楽しい気分にすることもできる。
【０００６】
本発明の塵埃吸着モップ用シート１は乾式であり、オイル含浸の不織物モップシートのように清掃面に油膜が付くことがない。また本発明品を使用するときは塵埃吸着モップ用シート１をモップ基台２に取り付けて清掃面を軽く移動させるだけで、床面や畳面でアクリル毛糸のモップ用シートに静電気が起こり、塵埃を吸着除去することができる。
【０００７】
また更に掃除効果を上げるために、毛糸の編み方は中央部はメリヤス編みを裏編みと表編みを交互（かのこ編み）にし、回りはこま編みふくらみ５は長編みすると、全体がソフトに仕上がり使用感触が良くなる。本発明の塵埃吸着シートは、溜まった埃を水洗いすれば簡単に落ち、乾燥も早く繰り返し利用ができて経済的である。アクリル１００％毛糸で形成したものが、より効果的である。
【０００８】
【発明の効果】
本発明の塵埃吸着モップ用シートは乾式であり、オイル含浸の不織物モップ用シートのように清掃面に油膜が付くことがない。また本発明の塵埃吸着モップ用シートをモップ基台に取り付けて清掃面を軽く移動させるだけで、床面や畳面でアクリル１００％毛糸のモップ用吸着シートに静電気が起こり、塵埃を吸着除去することができる。
【０００９】
また通常の掃除機による掃除の後で、本発明品を使用すれば掃除機で除去されず残った塵埃をきれいに除去することができる。業務用、家庭用のフローリングワイパーに好適に使用することができる。また本発明の塵埃吸着シートは、溜まった埃を水洗いすれば簡単に落ちる。塵埃吸着シートは水洗い後に水をしぼってモップ基台に取り付けて床面を拭けば、楽な姿勢で、ちょうど、雑巾掛けをしたのと同じように、きれいに清掃ができるメリットがある。また湿気を帯びた状態でも繰り返し利用ができ経済的である。
塵埃吸着シートの色は赤、青、黄、白、緑、ピンク等多種類を用意しておけば、掃除当日の気分に合った色を自由に選択できるので、心が満たされ精神が安定するので掃除することが楽しくなり心身共健康で幸福感を得ることができる。
【図面の簡単な説明】
【図１】本発明の実施例のモップ基台装着図である。
【図２】本発明の実施例吸着シートの外観図である。
【符号の説明】
１    塵埃除去シート
２  モップ基台
３  吸着シート係止穴
４    吸着シート係止片
５  ふくらみ部
６  操作棒
７  吸着シート開口部
【図１】
2004344477.tif 000003
【図２】
2004344477.tif 000004
(57)【要約】【課題】負荷をかけずにカウンターの接合部を補強する。【解決手段】各カウンター（１）（２）の接合部（３）側の裏面に金属製で中空な桟材（４）（５）が設けられ、この桟材にはボルト（６）の挿入を可能とするボルト挿入孔が設けられ、ボルト挿入孔は、各桟材においてボルトが挿入される一つがタップの切られたタップ孔とされており、ボルトがタップ孔にねじ込まれて桟材間に架設される時、架設されたボルトとタップ孔との螺合により桟材が所定の間隔（ｄ）に一定に隔てられ、２枚のカウンターの接合部の密着状態を保持させる。【選択図】          図１
2004344425.tif 000002
【特許請求の範囲】
【請求項１】
接着剤により接合される２枚のカウンターの接合部をカウンターの裏面側より補強するカウンターの接合構造であり、各カウンターの接合部側の裏面に金属製で中空な桟材が設けられ、この桟材にはボルトの挿入を可能とするボルト挿入孔が設けられ、ボルト挿入孔は、各桟材においてボルトが挿入される一つがタップの切られたタップ孔とされており、ボルトがタップ孔にねじ込まれて桟材間に架設される時、架設されたボルトとタップ孔との螺合により桟材が所定の間隔に一定に隔てられ、２枚のカウンターの接合部の密着状態を保持させることを特徴とするカウンターの接合構造。
【発明の詳細な説明】
【０００１】
【発明の属する技術分野】
この出願の発明は、カウンターの接合構造に関するものである。さらに詳しくは、この出願の発明は、負荷をかけずに接合部を補強することのできるカウンターの接合構造に関するものである。
【０００２】
【従来の技術】
調理台等に用いられる人造大理石等から形成されたカウンターをＬ字型等の形状に形成する際、２枚のカウンターを接着剤により接合することが行われている。この場合、接着剤による２枚のカウンターの接合部をカウンターの裏面側より補強することが考えられており、たとえば、各カウンターの接合部側の裏面に木質角材である桟木を設け、２つの桟木にボルトを通し、ナットを締結することが提案されている（たとえば、特許文献１参照）。
【０００３】
【特許文献１】
特開平７−１２４０２７号公報
【０００４】
【発明が解決しようとする課題】
上記の場合、桟木間には間隔を設け、カウンターが密着するよりも前に桟木が接触することのないようにしている。
【０００５】
しかしながら、実際にはナットの締結時に締めすぎることがあり、その結果、桟木間の間隔が狭くなり、負荷かがかかってカウンターの接合部が浮き上がり、密着しないという事態が起こり得た。
【０００６】
この出願の発明は、このような事情に鑑みてなされたものであり、負荷をかけずに接合部を補強することのできるカウンターの接合構造を提供することを解決すべき課題としている。
【０００７】
【課題を解決するための手段】
この出願の発明は、上記の課題を解決するものとして、接着剤により接合される２枚のカウンターの接合部をカウンターの裏面側より補強するカウンターの接合構造であり、各カウンターの接合部側の裏面に金属製で中空な桟材が設けられ、この桟材にはボルトの挿入を可能とするボルト挿入孔が設けられ、ボルト挿入孔は、各桟材においてボルトが挿入される一つがタップの切られたタップ孔とされており、ボルトがタップ孔にねじ込まれて桟材間に架設される時、架設されたボルトとタップ孔との螺合により桟材が所定の間隔に一定に隔てられ、２枚のカウンターの接合部の密着状態を保持させることを特徴とするカウンターの接合構造（請求項１）を提供する。
【０００８】
以下、図面に沿ってこの出願の発明のカウンターの接合構造についてさらに詳しく説明する。
【０００９】
【発明の実施の形態】
図１は、この出願の発明のカウンターの接合構造の一実施形態を示した要部断面図である。
【００１０】
この出願の発明のカウンターの接合構造もまた、接着剤により接合される２枚のカウンター（１）（２）の接合部（３）をカウンター（１）（２）の裏面側より補強するものである。一方、この出願の発明のカウンターの接合構造では、たとえば図１に示したように、各カウンター（１）（２）の接合部（３）側の裏面に金属製で中空な桟材（４）（５）が設けられる。この桟材（４）（５）にはボルト（６）の挿入を可能とするボルト挿入孔（図示なし）が設けられている。ボルト挿入孔は、各桟材（４）（５）においてボルト（６）が挿入される一つがタップの切られたタップ孔とされている。たとえば、図１図中の符号ａで示されるボルト挿入孔をタップ孔とすることができる。桟材（４）（５）は金属製であり、中空形状を有するため、タップ孔の形成は容易である。
【００１１】
そして、この出願の発明のカウンターの接合構造では、図１に示したように、ボルト（６）がタップ孔にねじ込まれて桟材（４）（５）間に架設される時、架設されたボルト（６）とタップ孔との螺合により桟材（４）（５）が所定の間隔（ｄ）に一定に隔てられる。この間隔（ｄ）は、ボルト（６）のタップ孔へのねじ込みの程度に関わらず、ボルト（６）とタップ孔との螺合が得られる限り、タップ孔が形成された桟木（４）（５）は金属製であるので、常に一定に保たれる。その結果、２枚のカウンター（１）（２）の接合部（３）の密着状態は安定に保持される。負荷かがかかってカウンター（１）（２）の接合部（３）が浮き上がることはない。このようにして、この出願の発明のカウンターの接合構造は、負荷をかけずに２枚のカウンター（１）（２）の接合部（３）を補強することができる。
【００１２】
なお、タップ孔の位置は、図１図中に示した符号ａの位置に限られることはなく、上述のとおり、各桟材（４）（５）においてボルト（６）が挿入される一つのボルト挿入孔であればよい。
【００１３】
また、桟材（４）（５）は、たとえばアルミニウム製とすることができる。カウンター（１）（２）が、たとえば調理台用のものである場合、放熱効果が得られる。さらに、桟材（４）（５）については、一方の桟材、図１に示した実施形態では、桟材（４）をカウンター（１）の側端縁より外方に突出させ、他の桟材、すなわち、桟材（５）をカウンター（２）の側端縁より内方に配置させることができる。このようにすることにより、突出する桟材（４）の上に接合するカウンター（２）を載置させることができ、カウンター（１）（２）の接合部（３）の強度を増強することができる。
【００１４】
もちろん、この出願の発明は、以上の実施形態によって限定されるものではない。カウンター及び桟材の材質、形状、そしてタップ孔の位置等の細部については様々な態様が可能であることはいうまでもない。
【００１５】
【発明の効果】
以上詳しく説明したとおり、この出願の発明によって、負荷をかけずにカウンターの接合部を補強することができる。
【図面の簡単な説明】
【図１】この出願の発明のカウンターの接合構造の一実施形態を示した要部断面図である。
【符号の説明】
１、２    カウンター
３    接合部
４、５    桟材
６    ボルト
【図１】
2004344425.tif 000003
(57)【要約】【課題】貼り薬を他人の手を借りないで貼ることができるようにする。【解決手段】長方形の第１フレーム１の長さ方向中間部に上面側に突出する断面山形の第２フレーム２を架橋した形状のフレームＦと、その長さ方向端部に取り付けた柄３とよりなる貼り薬貼り具であって、前記第１フレーム１の柄側の枠を、貼り薬の粘着面１２の一端縁を仮止めする第１仮止め枠ｆ１とし、第１フレーム１の先端側の枠を、貼り薬から剥離した剥離紙１３の端縁を巻き付けて貼り薬の端縁に両面テープＴで仮止めする第２仮止め枠ｆ２としたことを特徴とする貼り薬貼り具。【選択図】    図２
2004344626.tif 000002
【特許請求の範囲】
【請求項１】
長方形の第１フレーム１の長さ方向中間部に上面側に突出する断面山形の第２フレーム２を架橋した形状のフレームＦと、その長さ方向端部に取り付けた柄３とよりなる貼り薬貼り具であって、前記第１フレーム１の柄側の枠を、貼り薬の粘着面１２の一端縁を仮止めする第１仮止め枠ｆ１とし、第１フレーム１の先端側の枠を、貼り薬から剥離した剥離紙１３の端縁を巻き付けて貼り薬の端縁に両面テープＴで仮止めする第２仮止め枠ｆ２としたことを特徴とする貼り薬貼り具。
【発明の詳細な説明】
【発明が属する技術分野】
本発明は貼り薬貼り具に関するものである。
【従来の技術】
背中の患部に貼り薬を貼りたいときは、人にたのんで貼る以外に方法はなかった。
【発明が解決しようとする課題】
本発明は自分で貼ることができる貼り薬貼り具を提供することを目的とする。
【課題が解決するための手段】
本発明が提供する貼り薬貼り具は、長方形の第１フレーム１の長さ方向中間部に上面側に突出する断面山形の第２フレーム２を架橋した形状のフレームＦと、その長さ方向端部に取り付けた柄３とよりなる貼り薬貼り具であって、前記第１フレーム１の柄側の枠を、貼り薬の粘着面１２の一端縁を仮止めする第１仮止め枠ｆ１とし、第１フレーム１の先端側の枠を、貼り薬から剥離した剥離紙１３の端縁を巻き付けて貼り薬の端縁に両面テープＴで仮止めする第２仮止め枠ｆ２としたことを特徴とするものである。
【発明の実施の形態】
本発明の実施例を図１〜図４を参照しながら説明する。
図において、１は、軽量化のため、プラスチック等適宜素材にて形成された長方形の第１フレーム、２は第１フレーム１の中間部に架橋した上面側に突出する断面山形フレームである。フレーム１及び２によって日の字形のフレームＦが形成されている。３はフレームＦの長さ方向の端部に取り付けた柄で、３ａはそのグリップ部である。
ｆ１は図２で示す貼り薬Ｈの薬剤含有粘着面１２の端縁を仮止めするための第１仮止め枠である。その下面が粘着面１２の貼付面となっている。ｆ２は図２で示す貼り薬Ｈから剥離した剥離紙１３の端縁を巻き付けて貼り薬の端縁に両面テープＴで仮止めする第２仮止め枠である。図３は貼り薬Ｈを示す。この貼り薬Ｈにおいて、１１は基材、１２は基材１１に設けた薬剤含有粘着面１２、１３は貼り薬Ｈの粘着面１２を保護している剥離紙である。
次に使い方を説明する。図４に示すように、まず、貼り薬Ｈの剥離紙１３の端縁部をはがし、第１仮止め枠ｆ１に仮止めして、貼り薬Ｈを断面山形のフレーム２の上にのせる。ついで、第１フレーム１の第２仮止め枠ｆ２の下にくぐらせる。そして、はがした剥離紙１３を反転させ、その端縁を第２仮止め枠ｆ２に巻き付けて貼り薬Ｈの端縁に両面テープＴで仮止めする。貼り終えたら、柄３をもち、薬剤含有粘着面１２を背中の患部に押し当てて下側に押し下げる。すると、剥離紙１３が剥がれて、粘着面１２が患部に貼り付けられる。
【発明の効果】
以上説明したように、本発明の貼り薬貼り具によれば、上述のような構成としたので、貼り薬を他人の手を借りないで自分で貼ることができる。
【図面の簡単な説明】
【図１】本発明の貼り薬貼り具の一実施例を示す斜視図である。
【図２】図１の要部拡大図である。
【図３】貼り薬の斜視図である。
【図４】図２の断面図である。
【符号の説明】
１      第１フレーム
２      第２フレーム
Ｆ      日の字形フレーム
３      柄
３ａ    グリップ
ｆ１    第１仮止め枠
ｆ２    第２仮止め枠
１１    基材
１２    薬剤含有粘着面
１３    剥離紙
Ｈ      貼り薬
Ｔ      両面テープ
【図１】
2004344626.tif 000003
【図２】
2004344626.tif 000004
【図３】
2004344626.tif 000005
【図４】
2004344626.tif 000006
(57)【要約】      （修正有）【課題】足や腰を患い、腰を低いところまで曲げたり、伸ばしたりすることが困難な人でも、患らって苦しんでいる足や腰になんら負担かけることなく、自然体の姿で用を済せることができる便器を開発する。【解決手段】腰の高さまである高い便器１を設置し、足や腰を患い腰の上下や伸縮が困難な人が歩行のままの姿で腰を掛け足元の床部に内蔵されている足板６をスイッチ操作で上昇させ、従来の自然体で用を済せたら下降スイッチで床部を下降させて、患らって苦しんでいる足や腰になんら負担かけることなく、自然体の姿で用を済せることができるようにする。【選択図】図２
2004344630.tif 000002
【特許請求の範囲】
【請求項１】
腰の高さまである高い便器を設置し、足や腰を患い、腰の上下や伸縮が困難な人が歩行のままの姿で腰を掛け足元の床部に内蔵されている足板をスイッチ操作で上昇させて、従来の自然体で用を済せ終ったら下降スイッチで床部を下降させ患らっている足や腰になんら負担を生じることなく自然体の姿で用を済ませることができることを特徴とした腰掛け楽チン便器．
【発明の詳細な説明】
従来足や腰を患らい歩行はできるが１人で用を足すとき、腰を低いところまで曲げたり、伸ばしたりすることがとても困難な為どうしても看護する人に世話にならなければ用を足すことができない等と言う話しを耳にするたびに心が痛み、患者ならびに看護する人が実際の場面に直面したら、いくら身内とはいえ重い大人の患者を抱きかかえたり、抱き上げたりして用を足す看護をしなければならない苦労は想像を絶するものであり、まして看護する人も病弱で体力がなかったり、高齢の人等は重労働が原因で腰を痛めてしまい、看護している人が別の人に用を足す時に看護してもらっている等と云う、笑うに笑えない深刻な問題が続出している。
このような現実をなんとかしなければならないと本発明者は日夜研究を重ね、ここに初めて１人で鼻歌を歌いながらでも患らっている腰を伸縮することなく用を済すことができると云う腰掛け楽チン便器なるものを発明するに致ったのである。
次に本発明の腰掛け楽チン便器を図面を参照しながら操作方法を説明する。
まず第一図で示すように（１）は便器であって腰の高さまである高かい腰を容易に掛けることができる便器を設置する（６）は足板であって用を足す時に（１）の便器に腰を掛け（６）の足板に足を乗せる、次に（５）のスイッチ操作盤の足板上昇スイッチをＯＮにすれば第二図で示すように（６）の足板内部に装備されいる（２）の伸縮装置が電動器の働きにより上昇し膝を容易に曲げることができるから従来の自然体で用を足すことができる。次に（５）のスイッチ盤を操作して、お尼の洗浄ならびに温風乾燥をし、次に便器を洗浄し、下降スイッチをＯＮにすれば（６）の足板は（２）の伸縮装置が縮むので足板は下へ下がり普通の床面になるので何んら腰に負担をかけることなく歩行状態に移行できる。
以上のような構造にできている本発明の腰掛け楽チン便器の出現により、今まで看護の人に助けて持らわなければ用を足すことができづ人知れず苦労していたものを鼻歌を歌いながらでも１人で用が済せるので看護する人ならびに患者の苦るしみを完全に過去の昔話にした「腰掛け楽チン便器」を発明したことを、ここに発表するものである。
【図面の簡単な説明】
【図１】は本発明の腰掛け楽チン便器に患者が腰を掛ける状態を示す斜視図
【図２】は本発明の腰掛け楽チン便器の足板を上昇させ従来の自然体で用を足す状態を示す斜視図。
【符号の説明】
（１）は便器、（２）は上下伸縮装置、（３）は腰掛け便座、（４）は椅子、（５）はスイッチ、（６）は足板．
【図１】
2004344630.tif 000003
【図２】
2004344630.tif 000004
(57)【要約】      （修正有）【課題】使用者が任意のデザインを選べて、専門家が施す完成度を、その技術がないものでも制作可能にし、それを用いた付け爪を短時間で提供する。【解決手段】付け爪にデザインする方法を技術者による手作業ではなく、コンピューターを用い、そのデザインを耐久性粘着フィルムにドライインクを使い印刷する。耐久性粘着フィルムは熱を当てることで伸縮する素材を使い、印刷したインクが液体でないため、ひび割れを起こすことがない。【選択図】図３
2004344628.tif 000002
【特許請求の範囲】
【請求項１】
合成樹脂ないしエナメル及びアクリル製の人工爪に、接着剤を含む厚さ８０〜１００μｍの透明ないしは着色のフィルムまたはシートに、コンピューターを使い図形、色、写真、文字等をデザインしたものを接着し、トップコートを塗った付け爪の作成方法。
【請求項２】
印刷方式は溶融型熱転写方式を使ったドライインクの印刷であることを特徴とする請求項１の作成方法。
【請求項３】
フィルムないしシートは熱を当てることで伸縮する素材で、その伸び率が１２０％〜２００％を特徴とする請求項１の作成方法。
【請求項４】
図形、色、写真、文字等を請求項２の印刷方式で印刷した請求項３のフィルムを人工爪に接着し、トップコートを塗った付け爪。
【発明の詳細な説明】
【０００１】
【発明の属する技術分野】
本発明は、使用者がコンピューター内のデザインから任意のデザインを選択しやすく、付け爪にデザインする技術がなくとも製作できる付け爪の作成方法と、それを用いた付け爪に関するものである。
【０００２】
【従来の技術】
ファッションとして手や足の爪にデザインを施すネイルアートの従来の方法は、基本として自らの爪に、専用の絵の具を用い自由に絵や色、図形等を描くことにあるが、体裁よくデザインを施すには特殊な技能、才能が要求される上、特に利き手のデザインを施すには、たとえ熟練者といえども容易ではなく、非常に面倒であった。
【０００３】
そこで、専門家が希望者の爪にデザインを施すネイルサロンも発足されたが、利用者へのコスト負担が高く経済的ではないことや、ひとつの商品を完成させるまでに２時間ほどかかる為、希望者に時間的余裕がないことも問題として挙げられ、一般に普及するまでには至っていない。（例えば、非特許文献１参照。）
【０００４】
また粘着テープや接着剤を使い自らの爪に貼り付ける人工爪も開発されたが、ここでもデザインは自ら行うか、コスト負担の大きい専門家に任せるしか方法がなかった。
【０００５】
さらに誰でも簡単にネイルアートが出来るように、自らの手や人工爪に貼り付けるシールや、デザイン済みの人工爪なども開発されたが、この際、独自のアート性にかけることや、完成度の低さで需要は広がりを見せていない。（例えば、特許文献１参照。）
【０００６】
【非特許文献１】
日本ネイリスト協会発刊、レディブティックシリーズ通巻１６２３号
【特許文献１】
特開２００２−２９１５１８号公報
登録実用新案第３０６８４４４号公報
特開２００１−１６９８２３号公報
【０００７】
【発明が解決しようとする課題】
上記で述べたように、使用者が任意のデザインを選べて、専門家が施す完成度を、その技術がないものでも製作可能にし、それを用いた付け爪を短時間で提供することにある。
【０００８】
技術者によるデザインの施工は写真などを描くことは不可能で、また技術料が高く、時間も２時間ほどかかる。
【０００９】
シールなどを使うデザインの方法は、爪にシールを貼る際に湾曲することでしわができ、伸びのあるフィルムを使用し、インクジェット方式の印刷方法で印刷すると、貼り付ける際にインクのひび割れが起きる。
【００１０】
【課題を解決するための手段】
耐候性、耐熱性、寸法安定性などに優れた耐久性粘着フィルムを使用し、接着剤を含む厚さ８０〜１００μｍにすることで、付け爪に接着した際、薄さによる透明感をあたえる。
【００１１】
フィルムないしシートは熱を当てることで伸縮する素材で、その伸び率が１２０％〜２００％を特徴とし、これにより湾曲部分でしわがよることがない。
【００１２】
印刷で使用するインクはドライインクを使用することで、水溶性インクに比べて、にじみが無く鮮明な印刷が可能になった。
【００１３】
印刷方法は溶融型熱転写方式にし、インクは水分を含まない顔料系のドライインクを厚さ２．５μｍの薄膜フィルムに４層構造で印刷することにより、表面に安定定着させるため、ドット径の膨張や画質の劣化が起こらず、インクのひび割れが起こらない。
【００１４】
技術のないものに作成方法を説明することにより、技術者が製作した付け爪の完成度を備えた付け爪の製作が、およそ２０分足らずで製作可能になった。
【００１５】
【発明の実施の形態】
本発明の好ましい実施体系は、図面を参照しながら説明していく。
【００１６】
まず図１は、３の透明ないし有色の粘着フィルムに２のように３層でドライインクを印刷し、１の４層目をクリアーコートでインクを保護したところ、細部まで鮮明に印刷できた。
【００１７】
使用者はコンピューター内の画像より図形、色、写真、文字等を選び、付け爪を印刷することや、デジタルカメラの写真や、デジタルスキャナーを使用した任意のデザインを印刷することができる。
【００１８】
図２は粘着フィルムに図形、色、写真、文字等を印刷した図で、爪の大きさにより画像の大きさが異なる印刷を行い、この印刷枠は付け爪を覆う大きさないしは同等の大きさを有するものとする。
【００１９】
図３の９は基盤となる付け爪で、その上に図２のフィルムを貼った。この際、限りなく本物の爪に見えるように、トップコートといわれる無色のマニュキアを塗装したところ、商品としての完成度が高くなった。
【００２０】
上記の製作過程を行う事により、デザインは自由になり、完成度が高く、トップコートの上から飾り石やラメ等も付属で付けることも可能である。
【００２１】
【発明の効果】
上述したように本実施体系による付け爪は完成度の高い、また経済的な付け爪を短時間で製作でき提供できる。
【００２２】
【図面の簡単な説明】
【図１】デザインの印刷済みの粘着フィルムの拡大断面図である。
【図２】印刷後のフィルムの平面図である。
【図３】人工爪にフィルムを貼った状態の拡大斜視図である。
【符号の説明】
１  クリアーコート層
２  ドライインク層
３  フィルム
４  接着剤
５  付け爪用デザイン
６  粘着フィルム
７  トップコート
８  印刷済み粘着フィルム
９  人工爪
【図１】
2004344628.tif 000003
【図２】
2004344628.tif 000004
【図３】
2004344628.tif 000005
(57)【要約】【課題】手を使わず食事を摂るといっても、器の中に、顔を突っ込んで食べることは、出来ない。【解決の手段】器の周壁部より高い麺渡し板に渡された麺は、箸で取り上げた状態になっている。【選択図】    図１
2004344624.tif 000002
【特許請求の範囲】
【請求項１】
合成樹脂などで出来た容器は、蓋を取った弁当箱のように、長方形で上方が開放した器である、器（２）は、およそ幅２５ｃｍ奥行き１３ｃｍ周壁部（３）の高さが５ｃｍほどであるが円形でもよい、さらに器（２）の長手方向と長手方向の間に、長手方向に並行して底部（１２）より垂直に立ち上り周壁部（３）よりやや高い、麺を渡す板（４）が仕切り板のように立っている、周壁部（３）の内側の一部にストローを縦に通す保持具（７）が設けられている、麺を渡す板（４）の上端には、ひとつの波が１ｃｍほどの波形（５）になって連なっている、この波形底部（６）の全部に一口分の麺類（１０）を渡し麺類の両端は、器（２）内に張ってある、汁（１）の中に沈んでいる、このようにして手の不自由な人に提供するもので、これは、手の不自由な人が、介護の人に頼らず、自力で食事を摂ることの出来る麺渡し食器（１）である、波形の底部（６）に渡してある麺類（１０）は、すでに箸でつまんで取り上げた状態になっているので箸などを使わず、直接、口ですすり込むことが出来る、麺類（１０）の両端が器（２）内に張った汁（１１）をからめ付かせて、汁（１１）と麺（１０）を同時に食することが出来る、汁（１１）を飲むときはストロー（９）を使うことができる、麺渡し板（４）の下端部の一部に汁（１１）が通過する開口（８）が設けてある、波形の底部（６）に他の食品を乗せれば、麺類以外の食品も手を使うことなく食することが出来ることを特徴とした、麺渡し食器（１）である。
【発明の詳細な説明】
【０００１】
【発明の属する技術分野】
本発明は、手の不自由な人が、箸やスプーンなどを使わずに食事を摂ることの出来る、食器に関する。
【０００２】
【従来の技術】
従来、手に障害のある人は、介護の人に食品を箸やスプーンなどで、口まで運んでもらっていた。
【０００３】
【発明が解決しようとする課題】
従来、器に入った、かけそばなどを食べるときは、箸で麺を取り上げて口に運ぶ動作が必要であるが、体に障害があって箸が持てない人は、介護の人に口まで運んでもらわないと、自力では、食べることが出来ないと言う問題点があった。
【０００４】
本発明は、麺渡し食器内の、麺を渡す板の、波形の底部に渡された麺は、すでに箸でつまんで取り上げた状態になっているので、箸など使わずに直接口ですすり込んで食べることが出来る、これは手の不自由な人が、介護の人の援助を受けることなく自力で食事を摂ることを可能にした食器を提供することを目的としている。
【０００５】
【課題を解決するための手段】
上記目的を達成するために、本発明の麺渡し食器においては、器の中に垂直に立ち上がった麺渡し板の上端にある波形の底部の全部に一口分の麺が渡されている、麺の両端は、器の中に張った汁の中に沈んでいる、波形の底部に渡された麺は、すでに箸でつまんで取り上げた状態になっているので、箸などつかわずに、直接口ですすりこめばよい。
【０００６】
【発明の実施の形態】
上記のように構成された麺渡し食器は、箸など使わずに麺を食することができる。
【０００７】
【実施例】
実施例について図面を参照して説明すると、図１において、器の長手方向と長手方向の間に長手方向と並行して、周壁部よりやや高い、麺渡し板が立てられている。
図２で示す実施例では、麺は麺渡し板に渡され、その両端は、器の中に張られた汁の中に入っている。
【０００８】
【発明の効果】
本発明は、以上説明したように構成されているので、以下に記載されるような効果を奏する。
【０００９】
麺渡し食器は、器を持つこともなく、箸やスプーンをもつことも不要で、手の不自由な人が麺渡し板に渡された食品に口をもっていき、直接すすりこめばよい。
【００１０】
上記した理由で、麺渡し食器は、介護者の負担を軽減し、体の不自由な人の自立を支援する。
【図面の簡単な説明】
【図１】麺渡し食器の斜視図である。
【図２】麺渡し食器の実施態様を示した断面図である。
【符号の説明】
１    麺渡し食器
２    器
３    周壁部
４    麺渡し板
５    波形
６    波形底部
７    ストロー保持具
８    開口
９    ストロー
１０    麺
１１    汁
【図１】
2004344624.tif 000003
【図２】
2004344624.tif 000004
(57)【要約】【課題】マージャンゲームの全自動点数計算を可能とするためには、牌の種類の識別ができ、バーコードリーダやＣＣＤカメラ等による牌の種類の画像取り込みが必要であった。しかしマージャンゲームの性質上、牌に種類の認識が可能となる識別符号の付加は難しかった。【解決手段】白昼光下では見えず、紫外線を照射した時にだけ発光するＵＶインク等の発光インクを使用することにより課題を解決した。【選択図】      図１
2004344608.tif 000002
【特許請求の範囲】
【請求項１】
ＵＶインク等の発光インクを使用し、何の牌か分かるように識別符号を付加したマージャン牌。
【請求項２】
同一種類の牌においても、牌が表向き（表示が見える状態）で置いてあるのか、裏向き（表示が見えない状態）で置いてあるのか判断できる識別符号を付加したマージャン牌。
【請求項３】
請求項１、２で記載した識別符号をバーコードリーダ、ＣＣＤカメラ等により１回で１８牌分画像取り込みすることを可能とした画像認識装置。
【請求項４】
マージャンゲームでプレーヤによって作られた役が何であったかを画面表示する画面表示装置。
【請求項５】
請求項４で示した画面表示装置にマージャンゲームに必要な情報（誰が親か、何場か、何本場か等の情報）を入力することが可能な機能を付加した画面表示装置。
【請求項６】
プレーヤによって作られた役を画像取り込みする際、上がりに至った牌（ツモ、ロンによる）は一番右端又は一番左端に置くというルール。
【請求項７】
プレーヤによって作られた役を画像取り込みする際、鳴いた牌（ポン、チー、明カンによる）は鳴いていない牌と区別するために、鳴いていない牌と逆面を表にして置くというルール。
【発明の詳細な説明】
【０００１】
【発明の属する技術分野】
本発明はマージャンゲームにおいて全自動点数計算ができるよう、バーコードリーダやＣＣＤカメラ等により、牌の種類の画像取り込みを可能とするマージャン牌、及びそれを使用した全自動点数計算マージャン卓に関する。
【０００２】
【従来の技術】
マージャンゲームの点数計算は人の手によって行われており、全自動点数計算装置は存在していなかった。
【０００３】
【発明が解決しようとする課題】
マージャンゲームの性質上、牌に種類の認識が可能となる識別符号の付加は、例えバーコード等の識別しにくいものであっても困難である。
【０００４】
従って、白昼光下では見えず、ゲームが終了した後（１局終了後）の点数計算を行う時にだけ識別符号の確認ができる手段が課題であった。
【０００５】
【課題を解決するための手段】
白昼光下では見えず、紫外線を照射した時にだけ発光するＵＶインク等の発光インクを使用することにより課題を解決した。
【０００６】
【発明の実施の形態】
本発明の実施例を図１〜図３に基づいて説明する。
【０００７】
図１は牌の識別符号を付加する面を示しており、図２の様に牌を通常１４個、最大１８個並べて画像認識できる画像認識装置で、プレーヤの作った役の牌の種類を画像取り込みする。画像取り込みした牌の種類からプレーヤの作った役が何であるかはプログラムによりソフト処理を行い判定する。
【０００８】
この時、牌を鳴いたことにより（ポン、チー、明カンにより）得たものが存在するのであれば、牌を裏向きにしておくことにより表向きのものと区別することができる。（請求項７参照のこと。）また、上がりに至った牌（ツモ、ロンによる）は、牌の一番右側か左側に置いて画像取り込みすることをルール化することにより判断できる。ドラ牌は請求項３の画像認識装置を使用して画像取り込みする。
【０００９】
プレーヤの作った役が何であったかを図３に示す画面表示装置により表示する。
【００１０】
また、プレーヤの点数が図３に示す点数表示装置により示され、点数を減らされるプレーヤの点数表示装置からは自動で点数が減らされ、増やされるプレーヤの点数表示装置からは自動で点数が増やされる。これにより点棒のやり取りが不要となる。
【００１１】
【発明の効果】
本発明によりマージャンゲームにおける厄介な点数計算を覚える必要がなくなる。またわずらわしい点棒のやりとりも不要となり、純粋にマージャンゲームを楽しむことができる。
【００１２】
このことからマージャンゲーム人口が増えることが考えられる。また、今後ますます加速するであろう高齢化社会において、お年寄りにも簡単に楽しんで頂けるゲームの提供が可能となる。
【図面の簡単な説明】
【図１】本発明の請求項１で示した識別符号を付加する位置を示す。
【図２】本発明の請求項３で示した画像認識装置の使用状態を示す。
【図３】本発明である全自動点数計算マージャン卓の全体説明図である。
【符号の説明】
１  マージャン牌
２  識別符号の付加面１
３  識別符号の付加面２
４  画像認識装置
５  画面表示装置
６  点数表示装置
【図１】
2004344608.tif 000003
【図２】
2004344608.tif 000004
【図３】
2004344608.tif 000005
(57)【要約】【課題】無意識による早食いや食べ過ぎを防ぐために、一口あたりの食事量が少なくなる箸を提供する。【解決手段】箸の先端を極端に細くすることにより、ご飯やおかずをすくいづらくし、一口あたりの量を少なくする。【選択図】  図１
2004344605.tif 000002
【特許請求の範囲】
【請求項１】
先端を従来の箸と比し大幅に細くすることにより、一口一口あたりの食事量を制限する箸。
【発明の詳細な説明】
【０００１】
【発明の属する技術分野】
この発明は、箸の先端を大幅に細くすることにより、一口あたりの食事量を制限することを可能とした、ダイエット用箸に関するものである。
【０００２】
【従来の技術】
従来の箸は、食べ安さのみが優先されていた。そのため、ご飯やおかずを好きなだけすくえ、一口一口の量も多くなりがちで、早食いや食べ過ぎの原因となっていた。
【０００３】
【発明が解決しようとする課題】
本発明は、以上のような無意識による早食いや、食べ過ぎを防ぐために、ご飯やおかずをすくいづらい箸を提供することを課題とする。
【０００４】
【課題を解決するための手段】
箸の先端を大幅に細くすることにより、ご飯やおかずをすくいづらくし、一口あたりの量を少なくする。
【０００５】
【発明の実施の形態】
この発明の一実施形態を、図１に示す。根元は通常の箸と同様の形状であるが、先端は通常のものより極めて細い形状となっている。本アイディアにおいて先端部と本体は、分離型でも一体型でも構わない。形状についても、本体から先端まで滑らかな曲線で徐々に細くすることも可能である。また、素材については、先端部と本体が別々の素材でも、また同一の素材でも結構である。
【０００６】
【発明の効果】
本発明は、一口あたりの食事量が少なくなるとともに食事時間も長くなるため、少ない食事量で満腹感を得ることが可能となる。
【０００７】
ゆっくりと食事をすることにより、成人病、主に糖尿病、高脂血症、内臓脂肪などの病気や肥満などを防ぐ効果がある。
【０００８】
また、ゆっくり食事する事を習慣づける事により、無理のないダイエットが可能となる。
【図面の簡単な説明】
【図１】本考案の正面図（凡例）である。
【図２】本考案の断面図（凡例）である。
【符号の説明】
１  箸本体
２  箸先端
【図１】
2004344605.tif 000003
【図２】
2004344605.tif 000004
(57)【要約】【課題】ストリングスの水平垂直方向絡み合せ張り方、この新しい手法は、打球の衝撃に因って生じる手や腕に及ぼす振動や衝撃の負担を軽減するために考案した新しいストリングスの張り方である。この水平垂直方向絡み合せ張り方の手法を実施するために必要となる道具として台座を提供する。【解決手段】ストリングスの水平垂直方向絡み合せ張り方は、ラケットフレーム２と台座フレーム３を重ね合わせて、ストリングスを張る機器に固定する。ストリングス１を突起状ピン６を支柱にして、互いにストリングスを絡み合わせるように折り曲げて、ストリングスを絡み合わせて、ジグザグに網目を編むように張り合わせる。本発明の台座を使用することによって、新しい手法のストリングスの水平垂直方向絡み合せ張り方を実施できる。【選択図】  図３
2004344602.tif 000002
【特許請求の範囲】
【請求項１】
台座は、水平垂直方向絡み合せ張りの手法でラケットにストリングスを張る場合に必要とする道具である。この台座は、現在使用されているストリングスを張る機器にラケットフレームと重ね合わせて固定し、水平垂直方向絡み合せ張りの手法を実施するために取り付ける道具。
【発明の詳細な説明】
【０００１】
【発明の属する技術分野】
本発明は、テニスラケットに加わる打球の衝撃が手や腕に及ぼす振動や衝撃の負担を軽減させる方法として考案、特許出願したストリングスの水平垂直方向絡み合せ張り方の手法を実施するための台座である。本発明は、ストリングスを規則正しく絡み合うように折り曲げて張り合わせるために、台座に折り曲げる支柱となる突起状のピンを組み合わせる。この突起状ピンは、ストリングスを張る方向に沿って水平垂直方向に配列して、台座に填め込む。
【０００２】
【従来の技術】
従来のストリングスの張り方は、ラケットフレームのストリングスの通し穴から通し穴へ直線に張り通す手法なので、本発明の道具は不要である。
【０００３】
【発明が解決しようとする課題】
従来のストリングスを張る機器にラケットを単体で取り付ける方法では、ストリングスの水平垂直方向絡み合せ張り方の手法を実施できない。本発明の台座を使用して、ストリングスを張る機器にラケットと台座を重ね合わせて取り付けることによって、ストリングスの水平垂直方向絡み合せ張り方の手法を実施することができる。
【０００４】
【課題を解決するための手段】
テニスラケットにストリングスの水平垂直方向絡み合せ張り方１を張るためには、ラケットフレーム２を本発明の台座フレーム３の上に重ね合わせて、ストリングスを張る機器に固定する。ストリングスを張弦起点位置４から張り始める。ストリングス１は、台座５に水平垂直方向に規則正しく配列する突起状ピン６の位置で引っ掛けて、ジグザグの方向へ折り曲げて絡み合わせる。ストリングスの水平垂直方向絡み合せ張り方１の手法は、本発明の台座をラケットフレームに重ね合わせて使用しなければ張ることができない。
【０００５】
【発明の実施の形態】
以下、本発明の実施の形態について説明する。ラケットフレーム２のストリングスの通し穴の配列位置と形状は従来通りの仕様を使用する。
（イ）ラケットフレーム２を台座フレーム３の上部に重ね合わせて、ストリングスを張る機器に固定する。先ず最初に、ストリングスを張弦起点位置４から通し穴へ通し内側の方へ入れる。次にストリングスを突起状ピン６に突き当たるところで突起状ピンを支柱にして折り曲げる。折り曲げた後に、ストリングスを通し穴に差し込んでフレームの外側へ出す。このように、ストリングスを突起状ピンを支柱に折り曲げる手順は、ラケットの縦中心軸に対して斜め方向へジグザグに折り曲げる形状を描くように張り進める。
（ロ）ラケット中心軸に斜め方向へジグザグに折り曲げて張り続けると、斜め配列の最後の突起状ピンのところでジグザグに折り曲げた後は、ストリングスを通し穴へ入れて外側へ出す。出したストリングスは、次の空いた通し穴から再び内側へ通し入れて、再びジグザグに折り曲げて張り合わせていく。この手順をくり返して、ラケット面全体に網目をつくるように張り合わせていく。
（ハ）この張り方の特徴は、交差するストリングスを突起状ピンを支柱に、互いに絡み合わせて折り曲げるように張り合せることである。
【０００６】
【発明の効果】
本発明の台座を使用することによって、ストリングスを互いに交差する部分で絡み合わせる新しい手法の張り方が可能となる。この新しい張り方は、従来の張り方で生じていた打球の衝撃の負担が軽減できる。この新しい張り方は、ラケット面全体のストリングスが互いに絡み合って連結しているので、打球の衝撃をラケット面全体へ瞬時に均等に拡散させて、優れた振動吸収能力を発揮する。従って、ラケットの正確なコントロール性能と安定感のあるパワーパフォーマンスが期待できる。また、ストリングスが互いに絡み合って連結しているので、打点の局部的な衝撃に因って生じるストリングスのズレやズレでできる厄介な隙き間の発生が防止できる。
【図面の簡単な説明】
【図１】ストリングスの水平垂直方向絡み合せ張り方。
【図２】本発明の平面図である。水平垂直方向絡み合せ張り方を実施するための台座
【図３】上部  本発明の使用説明図である。台座とラケットフレームの組み合わせ方。ストリングスの張り方の説明。下部  本発明の断面図である。台座フレームとラケットフレームを重ね合せたときの断面図。
【符号の説明】
１  ストリングス、ストリングスの水平垂直方向絡み合せ張り方
２  ラケットフレーム
３  台座フレーム
４  張弦起点位置
５  台座
６  突起状ピン
【図１】
2004344602.tif 000003
【図２】
2004344602.tif 000004
【図３】
2004344602.tif 000005
(57)【要約】【課題】杖にカバーをする筒状のカバー本体の両端に、杖から滑り落ちないように滑り止め機能を有することを特徴とする杖の装飾カバーを提供する。【解決手段】杖にカバーをする筒状のカバー本体の両端に、杖から滑り落ちないように滑り止め機能を有することを特徴とする。【選択図】    図２
2004344601.tif 000002
【特許請求の範囲】
【請求項１】
杖にカバーをする筒状のカバー本体の内側に、杖から滑り落ちないように滑り止め機能を有することを特徴とする杖の装飾カバー。
【発明の詳細な説明】
【０００１】
【発明の属する技術分野】
この発明は筒状のカバーの内側に滑り止めを付けた杖の装飾カバーに関するものである。
【０００２】
【従来の技術】
従来は木製または金属製の杖に直接印刷又は貼り付けたものがある。
【０００３】
【発明が解決しようとする課題】
そのために次のような問題点があった。
（イ）木製や金属製の杖をそのままの状態で持ち歩くには抵抗を感じた。
（ロ）従来の杖では外装を容易に変化させることができない。
（ハ）従来の杖では持ち歩くには装飾性に乏しくその機能のみに重点が置かれる。
（ニ）従来の杖では夜間用の杖と昼間用の杖を持ち替える必要があった。
本発明は、以上の欠点を解決するためのものである。
【０００４】
【課題を解決するための手段】
長方形状の本体（１）裏地の両端部に滑り止め（２）を設ける。そして、長方形状の本体（１）表地の両端部に絞込みのための締め付けベルト（５）上に雄面ファスナー（３）および雌面ファスナー（４）を設ける。さらに、長方形状の本体（１）表地の両端部に締め付けベルト（５）の折り返し用リング（６）を設ける。長方形状の本体（１）が筒状になるように両長辺（７）（７）を縫い合わせる。
本発明は、以上のような構成よりなる杖の装飾カバーである。
【０００５】
【発明の実施の形態】
以下、本発明の実施について説明する。
（イ）長方形状の本体（１）裏地の両端部に滑り止め（２）を設ける。
（ロ）長方形状の本体（１）表地の両端部に締め付けベルト（５）上に雄面ファスナー（３）および雌面ファスナー（４）を設ける。
（ハ）長方形状の本体表地（１）の両端部に折り返し用リング（６）を設ける。
（ニ）長方形状の本体（１）が筒状になるように両長辺（７）（７）を縫い合わせる。
本発明は以上のような構造で、これを使用するときは、杖下部より筒状になった装飾カバーを杖中部に挿入し、長方形状の本体（１）表地両端部にある折り返し用リング（６）に絞込みのための締め付けベルト（５）上面にある雄面ファスナー（３）を通し雌面ファスナー（４）に貼り付ける。
締め付けベルト（５）を締め付けることにより長方形状の本体（１）裏地に設けられた滑り止め（２）が杖の軸に固定され装飾カバーのずれ落ちを防止する。
本体の材質は綿、絹、合成繊維、レース、皮革、合成皮革、ビニール、反射布を使用する。
【０００６】
【発明の効果】
装飾カバーを折りたたむことにより持ち運びが容易で、その場の雰囲気に合わせた装飾カバーに替えることが容易にできる。
装飾カバーを使用することにより杖を杖としての機能利用のみならず、おしゃれに装飾することにより外出時の使用に抵抗を感じることなく、外出することが楽しくなる装飾性に富んだアイテムとしての使用を期待できる。
１本の杖に夜間外出時に蛍光・蓄光・夜光性の塗料の塗付された布又は反射布の装飾カバーを杖に容易に装着することができ、交通安全性の向上および視認性を増大することにより事故を防止する。
お年寄りや障害者・握力の弱い方でも容易に取り外し装着ができる。
市販されている杖にも容易に装着できる。
【図面の簡単な説明】
【図１】本発明の裏地の展開図
【図２】本発明の斜視図
【図３】本発明の詳細図
【図４】本発明の使用状態を示す図
【符号の説明】
１本体
２滑り止め
３雄面ファスナー
４雌面ファスナー
５締め付けベルト
６リング
７長辺
【図１】
2004344601.tif 000003
【図２】
2004344601.tif 000004
【図３】
2004344601.tif 000005
【図４】
2004344601.tif 000006
(57)【要約】      （修正有）【課題】電気ポットの保温を省エネタイプにするのが目的である。【解決手段】電気ポットの発熱部上部に蓄熱材を取付け、耐熱保温材を取付けたポット内の水を、沸騰と同時に蓄熱材を充熱させ、この充熱された蓄熱材により保温する構成のものである。【選択図】図２
2004344606.tif 000002
【特許請求の範囲】
【請求項１】
電気ポットの水を入れる中容器１の外面に、耐熱保温材２を蓄熱材部４に被る位置まで取付け、ポットの発熱部３の上部に、蓄熱材５をドーナツ型ケースに充填した蓄熱部４を取付けてなる、蓄熱材保温の電気ポット。
【請求項２】
電気ポットの保温を、従来よりの保温ヒーターと蓄熱材部４を組合わせ、長時間保温にも省エネにて対応を可能とせる、蓄熱材保温の電気ポット。
【発明の詳細な説明】
【０００１】
【発明の属する技術分野】
本発明は電気ポットの保温を蓄熱材により保温する、省エネタイプの電気ポットに関するものである。
【０００２】
【従来の技術】
従来よりの電気ポットは、容器内の水が沸騰して約１００℃になると、自動的に沸騰から保温に切替わるもので、その保温に要する消費電力が、電気冷蔵庫の消費電力と同じであると新聞にも発表された。
【０００３】
【発明が解決しょうとする課題】
本発明が解決しょうとするものは、この保温に要する消費電力を節約しょうとするものである。
【０００４】
【課題を解決するための手段】
この課題を解決するための手段として、本発明のものは、発熱体に蓄熱材を併用し、沸騰時に蓄熱材をも充熱させ、蓄熱材により保温させる事で解決するものである。
【０００５】
【発明の実施の形態】
電気ポットがヒーターにて容器内の水を加熱沸騰させる時に、ヒーター上に設けた蓄熱材を同時に充熱し、沸騰後の保温に切替わった時点で、充熱された蓄熱材により保温し、長時間保温の場合には蓄熱材温度が低下した時点に、保温ヒーターがＯＮして、再び蓄熱温度を復帰させるようになしたるものである。
【０００６】
【実施例】
電気ポットの年間の消費電力が冷蔵庫なみであると、２００３年４月１７日の朝日新聞に掲載され、その消費電力が大きい事を知らせている、本発明のものは、蓄熱材と組合わせ、電気ポットの保温時に充熱された蓄熱材を併用し、電気ポットを効率的に省エネタイプにするものである。
【０００７】
図によって説明すれば、先ず図１のように水を入れる中容器１の外面に、耐熱保温材２を蓄熱材部に被るように巻き付け、一度沸騰した容器１内の湯温低下を防止しする。
【０００８】
次いで図２に図示するように、ポット１の底部に設けられたヒーター発熱部３の上に、ドーナツタイプの容器に蓄熱材５を充填した蓄熱部４を取付ける。
このように蓄熱部４をドーナツタイプにしたのは、どうしても発熱部３の上に蓄熱部４を取付けると、容器１が直接加熱されず蓄熱部４を通しての加熱になり、容器１内の水の沸騰する時間が多少長くなる、それ故ドーナツ型にする事で中央部は容器１を直接加熱するようになり、蓄熱部４が沸騰時間に影響するのを少しでも防ぐ効果が有る。
【０００９】
図３に図示せるものは保温温度特性を示すもので、６は沸騰後の保温温度で普通沸騰後の保温は、朝に沸騰させ夕食時までの間を保温するが、その間は充熱された蓄熱材５による保温が可能である、万一これが翌朝食まで保温時間がのびた場合、蓄熱材５の温度が低下すると電源がＯＮになり、保温ヒーターが蓄熱材５を再度充熱して後保温ヒーターはＯＦＦになる、このように保温用のヒーターに消費する電力を、節約する省エネタイプの電気ポットである。
【００１０】
【発明の効果】
従来の電気ポットに比べて保温用の消費電力を節約出来るものである。
【図面の簡単な説明】
【図１】電気ポットの加熱容器部を示す図である。
【図２】電気ポットの加熱発熱部を示す図である。
【図３】本発明の電気ポットの保温特性を示す図である。
【符号の説明】
１  ポット容器部
２  耐熱保温材
３  発熱部
４  ドーナツ型蓄熱部
５  蓄熱材
６  蓄熱材による保温温度と時間
７  普通使用時の保温時間点
８  長時間保温時の再電熱保温
【図１】
2004344606.tif 000003
【図２】
2004344606.tif 000004
【図３】
2004344606.tif 000005